(57)【要約】【課題】電子時計のムーブメントにおいて、電子回路に静電気が回り込むのを防止又は抑制する。【解決手段】電波修正時計１（電子時計の一例）のムーブメント３は、電子回路６７が形成された回路基板６と、電波修正時計１の導電性を有するケース２ａ（外装部品の一例）にケース導通部７ａ，７ｂ（外装導通部の一例）及び裏蓋２ｂ（外装部品の一例）に裏蓋導通部７ｃ（外装導通部の一例）で接するように形成された回路基板押さえ板７（導電性部材の一例）と、を備え、回路基板６に、回路基板押さえ板７と導通する５つの導通部６１，６２，６３，６４，６５が形成されているとともに、５つの導通部６１，６２，６３，６４，６５を互いに導通させ、かつ回路基板６のいずれの回路とも接続されない浮いた状態の配線パターン６６が形成されている。【選択図】図３
2016156688.tif 000002
【特許請求の範囲】
【請求項１】
電子回路が形成された回路基板と、
時計の導電性を有する外装部品に接するように形成された導電性部材と、を備え、
前記回路基板に、前記導電性部材と導通する２つ以上の導通部が形成されているとともに、前記２つ以上の導通部のうち少なくとも２つを互いに導通させ、かつ前記回路基板のいずれの回路とも接続されない浮いた状態の配線パターンが形成されている電子時計のムーブメント。
【請求項２】
前記導通部は、前記回路基板の電子回路よりも外周縁側に形成されている請求項１に記載の電子時計のムーブメント。
【請求項３】
前記導電性部材の、前記導通部に導通する部分が、前記外装部品に接する外装導通部に近接して形成されている請求項１又は２に記載の電子時計のムーブメント。
【請求項４】
前記導電性部材の前記回路基板の導通部と導通する部分が、前記回路基板を所定位置に押さえる部分である請求項１から３のうちいずれか１項に記載の電子時計のムーブメント。
【請求項５】
前記導電性部材は、前記電子回路のグランドに導通している請求項１から４のうちいずれか１項に記載の電子時計のムーブメント。
【請求項６】
請求項１から５のうちいずれか１項に記載の電子時計のムーブメントと、
前記ムーブメントを収容するとともに、前記導電性部材が接する外装部品と、を備えた電子時計。
【発明の詳細な説明】
【技術分野】
【０００１】
本発明は、電子時計のムーブメント及び電子時計に関する。
【背景技術】
【０００２】
電子時計は、電池等電源から供給された電力によりモータを駆動するため、電子時計のムーブメントは、電子回路が形成された回路基板を備えている。回路基板は、回路基板押さえ板により押さえられて、ムーブメントの所定位置に配置されている。
電子回路は静電気の影響を受けやすいため、ムーブメントには静電気が生じないようにすることが望ましい。しかし、電子時計を操作するためのリュウズや押ボタンなどを通じて静電気がムーブメントの内部に生じ、これを避けることは実質的に困難である。
そこで、導電性を有する回路基板押さえ板を、ムーブメントが収容される時計の導電性を有するケースやケースの開口を閉じる裏蓋に接するように形成して、ムーブメントに生じた静電気をケース等の外部に逃がす技術が提案されている（例えば、特許文献１参照。）。
【先行技術文献】
【特許文献】
【０００３】
【特許文献１】特開２０１３−１９５１２１号公報
【発明の概要】
【発明が解決しようとする課題】
【０００４】
しかし、回路基板押さえ板に生じた静電気は、回路基板に接している部分から電子回路に、予期せずに回り込むことがある。
本発明は上記事情に鑑みなされたものであって、電子回路に静電気が回り込むのを防止又は抑制する電子時計のムーブメント及び電子時計を提供することを目的とする。
【課題を解決するための手段】
【０００５】
本発明の第１は、電子回路が形成された回路基板と、時計の導電性を有する外装部品に接するように形成された導電性部材と、を備え、前記回路基板に、前記導電性部材と導通する２つ以上の導通部が形成されているとともに、前記２つ以上の導通部のうち少なくとも２つを互いに導通させ、かつ前記回路基板のいずれの回路とも接続されない浮いた状態の配線パターンが形成されている電子時計のムーブメントである。
本発明の第２は、本発明に係る電子時計のムーブメントと、前記ムーブメントを収容するとともに、前記導電性部材が接する外装部品と、を備えた電子時計である。
【発明の効果】
【０００６】
本発明に係る電子時計のムーブメント及び電子時計によれば、電子回路に静電気が回り込むのを防止又は抑制することができる。
【図面の簡単な説明】
【０００７】
【図１】本発明に係る電子時計の一実施形態である電波修正時計を示し、裏蓋側から、裏蓋及びケースを仮想的に透過し、実線で表したムーブメントが見えている状態を表す透視図である。
【図２】ムーブメントを示す斜視図であり、（Ａ）は完成状態を示し、（Ｂ）は完成状態から電波の受信用の回路が形成された受信基板、電池及び電池押さえ板等を除いた半完成状態を示す。
【図３】ムーブメントの平面図であり、（Ａ）は図２（Ｂ）に示した状態に対応し、（Ｂ）は（Ａ）の状態から回路基板押さえ板及び耐磁板を除いて回路基板の電子回路が露出した状態を示す。
【図４】図３（Ａ）のＡ−Ａ線に沿った断面を示す断面図である。
【発明を実施するための形態】
【０００８】
以下、本発明に係る電子時計のムーブメント及び電子時計の実施形態について、図面を用いて説明する。
＜電波修正時計の構成＞
図１は、本発明に係る電子時計の一実施形態である電波修正時計１を示し、裏蓋２ｂ側から、裏蓋２ｂ、ケース２ａ及びプッシュボタン２ｃを仮想的に透過し、実線で表したムーブメント３が見えている状態を表す透視図である。図１の上方は１２時方向、巻真４が設けられた左方は３時方向である。
【０００９】
電波修正時計１は、導電性を有する金属製のケース２ａ（外装部品の一例）及び導電性を有する金属製の裏蓋２ｂ（外装部品の一例）で囲まれた空間の内部にムーブメント３が収容されている。
電波修正時計１は、時刻情報を含む電波（例えば、ＧＰＳ衛星から発信された、時刻情報を含むＧＰＳ信号）を受信し、受信した電波に基づいてムーブメント３が時刻用の指針を正しい位置に自動的に修正する機能を有する。
【００１０】
＜ムーブメントの構成＞
図２は、ムーブメント３を示す斜視図であり、（Ａ）は完成状態を示し、（Ｂ）は完成状態から受信基板９、受信基板押さえ板１３、電池１０及び電池押さえ板１１等を除いた半完成状態を示す。
図３は、ムーブメント３の平面図であり、（Ａ）は図２（Ｂ）に示した状態に対応し、（Ｂ）は（Ａ）の状態から回路基板押さえ板７及び耐磁板８を除いて回路基板６の電子回路６７が露出した状態を示す。なお、図３において電子回路６７として示した、ＩＣ６７ａに接続された配線パターンは、電子回路６７の一部を示すに過ぎず、電子回路６７の他の配線パターンは、図を見易くするために記載を省略している。
図４は、図３（Ａ）のＡ−Ａ線に沿った断面を示す断面図である。
【００１１】
ムーブメント３は、本発明に係る電子時計のムーブメントの一実施形態である。ムーブメント３は、地板５と、図示を省略した輪列等と、回路基板６と、回路基板押さえ板７（導電性部材の一例）と、耐磁板８と、電波受信用のアンテナ１２と、受信基板９と、受信基板押さえ板１３と、電池１０と、電池押さえ板１１と、を備えている。
耐磁板８は、図２（Ｂ）に示した他に、地板５の図示下面側にも配置されていて、主に回路基板６に接続されたモータを上下から挟んだ配置で磁気的に保護している。
【００１２】
ムーブメント３は、上述した構成の他に、手動で時刻表示用の指針を修正するためのリュウズ、巻真４等を含む機構や、アラーム用ブザー、その他の機構等も備えているが、本実施形態の電波修正時計１の説明上必須ではないため説明を省略する。
【００１３】
回路基板６は、時刻等を指示する指針を駆動するモータに接続されるとともに、モータの駆動等を制御するＩＣ６７ａやＰＢ（プッシュボタン）用回路パターン６７ｂを含む電子回路６７が形成されている。ＰＢ用回路パターン６７ｂは、プッシュボタン２ｃが内側に押されたことを検出するために使用する回路パターンである。
一方、受信基板９には、電波の受信用の電子回路が形成されている。回路基板６の電子回路６７、受信基板９の電子回路は、電池１０から供給される電力により駆動される。
【００１４】
回路基板押さえ板７は、回路基板６の上方に配置されている。回路基板押さえ板７は、導電性を有する金属板で形成されている。回路基板押さえ板７は、図３（Ｂ）に示した電子回路６７におけるグランド（ＧＮＤ（ＶＤＤ））のラインであるグランド導通部６８，６９とそれぞれ回路導通部７８，７９で接触し、電気的に導通している。
【００１５】
回路基板押さえ板７は、ケース２ａに対向する外周部に、ケース２ａに接触して導通する２つのケース導通部７ａ，７ｂ（外装導通部の一例）と、裏蓋２ｂに接触して導通する裏蓋導通部７ｃ（外装導通部の一例）と、プッシュボタン２ｃ（図１参照）を押し戻すＰＢ戻しばね部７ｄを備えている。ケース導通部７ａ，７ｂは、ケース２ａの内周面よりも外方に突出するように舌片状に形成されている。裏蓋導通部７ｃは、裏蓋２ｂの内面よりも外方に突出するように舌片状に形成されている。ＰＢ戻しばね部７ｄは、プッシュボタン２ｃに接触している。
【００１６】
ケース導通部７ａ，７ｂは、ムーブメント３がケース２ａに収納された状態で、ケース２ａの内周面に押されて弾性変形し、その弾性変形の復元力により、ケース導通部７ａ，７ｂがケース２ａの内周面に接触した状態を維持する。これにより、回路基板押さえ板７は、回路基板６の電子回路６７のグランドをケース２ａに導通させる。
裏蓋導通部７ｃは、ムーブメント３がケース２ａに収納され、裏蓋２ｂが閉じられた状態で、裏蓋２ｂの内面に押されて弾性変形し、その弾性変形の復元力により、裏蓋導通部７ｃが裏蓋２ｂの内面に接触した状態を維持する。これにより、回路基板押さえ板７は、回路基板６の電子回路６７のグランドを裏蓋２ｂにも導通させる。
ＰＢ戻しばね部７ｄは、プッシュボタン２ｃが内側に向けて押されると弾性変形して電子回路６７のＰＢ用回路パターン６７ｂに接触するとともに、その復元力により、プッシュボタン２ｃを外側に押し戻す。
【００１７】
回路基板押さえ板７は、回路基板６の上方に、回路基板６と所定の隙間を介して配置されている。回路基板押さえ板７は、回路基板６との隙間を確保するとともに、回路基板６をムーブメント３の所定の位置に押さえる、図４に示すように、回路基板６に向けて突出させた５つの押圧部７１，７２，７３，７４，７５を備えている。押圧部７１〜７５の数は、５つに限られず、少なくとも２つあればよい。
【００１８】
５つの押圧部７１〜７５は、図４の上方から下方に向けて型で押圧して形成されている。また、５つの押圧部７１〜７５は、回路基板押さえ板７の、ケース２ａに対向した外周に近接して周方向に並んで形成されている。
周方向に並んだ５つの押圧部７１〜７５のうち一方の端部側の押圧部７１は、ケース導通部７ａの舌片の根元に近接して形成されている。周方向に並んだ５つの押圧部７１〜７５のうち他方の端部側の押圧部７５は、裏蓋導通部７ｃの舌片の根元に近接して形成されている。また、押圧部７４は、ケース導通部７ｂの舌片の根元に近接して形成されている。なお、押圧部７３は、ＰＢ戻しばね部７ｄに近接して形成されている。
【００１９】
５つの押圧部７１〜７５により押圧される回路基板６の部分には、図３（Ｂ）及び図４に示すように、それぞれの押圧部７１，７２，７３，７４，７５に接して導通する導通部６１，６２，６３，６４，６５が形成されている。また、回路基板６には、図３（Ｂ）に示すように、５つの導通部６１〜６５を導通させ、かつ回路基板６のいずれのパターン（回路）とも接続されない浮いた（フローティング）状態の配線パターン６６が形成されている。
５つの導通部６１〜６５及び配線パターン６６は、主要な回路である電子回路６７よりも外周縁側（ケース２ａの内周面に近い側）に形成されている。
導通部６１〜６５は押圧部７１〜７５と同じ数である必要はなく、少なくとも２つあればよい。
【００２０】
受信基板９は、図２に示すように、回路基板６の上方に配置された回路基板押さえ板７及び耐磁板８のさらに上方に配置されている。
受信基板押さえ板１３は、受信基板９の上方に配置されている。受信基板押さえ板１３は、導電性を有する金属板で形成されている。受信基板押さえ板１３は、受信基板９の電子回路におけるグランド（ＧＮＤ（ＶＤＤ））のラインと導通している。
受信基板押さえ板１３は、裏蓋２ｂに接触して導通する裏蓋導通部１３ａ（外装導通部の一例）を備えている。この裏蓋導通部１３ａは、裏蓋２ｂの内面よりも外方に突出するように舌片状に形成されている。
【００２１】
裏蓋導通部１３ａは、ムーブメント３がケース２ａに収納され、裏蓋２ｂが閉じられた状態で、裏蓋２ｂの内面に押されて弾性変形し、その弾性変形の復元力により、裏蓋導通部１３ａが裏蓋２ｂの内面に接触した状態を維持する。
これにより、受信基板押さえ板１３は、受信基板９の電子回路のグランドを裏蓋２ｂに導通させる。
【００２２】
＜電波修正時計及びムーブメントの作用＞
以上のように構成された実施形態の電波修正時計１及びムーブメント３によれば、リュウズ及び巻真４や、プッシュボタン２ｃ及びＰＢ戻しばね部７ｄ等を通じて回路基板押さえ板７に静電気が生じた場合、その静電気は、ケース導通部７ａ，７ｂを通じてケース２ａに、又は裏蓋導通部７ｃを通じて裏蓋２ｂに、それぞれ逃がされる。受信基板押さえ板１３に静電気が生じた場合、その静電気は、裏蓋導通部１３ａを通じて裏蓋２ｂに逃がされる。
【００２３】
また、回路基板押さえ板７に生じた静電気が、いずれかの押圧部７１〜７５を通じて回路基板６に流れ込んだ場合は、静電気は、その押圧部７１〜７５に導通する回路基板６の導通部６１〜６５に流れる。回路基板６の導通部６１〜６５に流れた静電気は、回路基板６の、配線パターン６６が形成されていない部分よりも導電性の高い配線パターン６６に流れる。
つまり、本実施形態の電波修正時計１及びムーブメント３によれば、回路基板６に静電気が流れ込んだ場合であっても、その静電気は、回路基板６に形成された導通部６１〜６４及びフローティング状態の配線パターン６６に誘導されるため、同じ回路基板６に形成された電子回路６７に回り込むのを防止又は抑制する。
【００２４】
配線パターン６６に流れた静電気は、他の導通部６１〜６５及びその導通部６１〜６５に接する押圧部７１〜７５を通じて回路基板押さえ板７に流れる。回路基板押さえ板７に流された静電気は、ケース導通部７ａ，７ｂを通じてケース２ａに逃がされ、また、裏蓋導通部７ｃを通じて裏蓋２ｂに逃がされる。
このように、本実施形態の電波修正時計１のムーブメント３によれば、回路基板６に形成されている電子回路６７に静電気が回り込み難くくなり、静電気による電子回路６７への影響を防止又は抑制することができる。
【００２５】
なお、電気抵抗を小さくして静電気をさらに誘導し易くするうえで、配線パターン６６は一直線であることが好ましいが、各導通部６１〜６５を繋ぐ部分をそれぞれ直線状に形成した本実施形態によっても電気抵抗を小さくする効果があり好ましい。
また、配線パターン６６の線幅をより太くすることによっても電気抵抗を小さくすることができ好ましい。
さらに、本実施形態の電波修正時計１のムーブメント３は、グランド導通部６８，６９が、５つの導通部６１〜６５の形成された範囲から外れた位置に形成されているため、導通部６１〜６５に流れた静電気が、グランド導通部６８，６９に流れ込み難くすることもできる。
【００２６】
また、本実施形態の電波修正時計１のムーブメント３においては、導通部６１〜６５が回路基板６の電子回路６７の主要な回路（例えば、ＰＢ用回路パターン６７ｂなどの主要でない回路を除いたもの）よりも外周縁側に形成されているため、導通部６１〜６５を繋ぐ配線パターン６６とケース２ａとの間に電子回路６７の主要な回路が形成されていない。このため、電波修正時計１のムーブメント３によれば、導通部６１〜６５から配線パターン６６に回り込んだ静電気がケース２ａや裏蓋２ｂに逃げる場合にも、配線パターン６６から静電気が電子回路６７の主要な回路に回り込み難くなる。
【００２７】
ただし、本実施形態の電波修正時計１のムーブメント３において、導通部６１〜６５よりも外周縁側に電子回路６７の一部を形成することを排除するものではない。
導通部６１〜６５や配線パターン６６は、電子回路６７に設けられたＩＣ６７ａから遠ざけた位置に形成されているため、ＩＣ６７ａに静電気によるノイズを与えにくくすることができる。
なお、配線パターン６６の近くには、ＩＣ６７ａだけでなく、水晶振動子や電波受信用のアンテナ１２や、アンテナ１２からの配線や、電源の配線の設定を避けるのが好ましい。これにより、配線パターン６６に回り込んだ静電気が、これらの動作に影響を与え難くすることができる。
【００２８】
本実施形態の電波修正時計１のムーブメント３においては、回路基板押さえ板７の、導通部６１〜６５に導通する押圧部７１〜７５が、ケース２ａに接するケース導通部７ａ，７ｂや裏蓋導通部７ｃに近接して形成されている。これにより、導通部６１〜６５から配線パターン６６に回り込んだ静電気が、別の導通部６１〜６５から押圧部７１〜７５を介して回路基板押さえ板７に戻ったとき、静電気は、その押圧部７１〜７５に近接したケース導通部７ａ，７ｂからケース２ａに、裏蓋導通部７ｃから裏蓋２ｂに、それぞれ逃げ易くなる。したがって、配線パターン６６に回り込んだ静電気は、配線パターン６６からケース導通部７ａ，７ｂや裏蓋導通部７ｃよりも遠い電子回路６７に、一層回り込み難くなる。
【００２９】
しかも、５つの導通部６１〜６５のうち配線パターン６６の両端に対応する導通部６１，６５に導通する押圧部７１，７５が、対応するケース導通部７ａ及び裏蓋導通部７ｃに近接しているため、配線パターン６６の両端（導通部６１，６５）まで流れて回路基板押さえ板７に戻った静電気を、回路基板押さえ板７の内部に不規則に拡散させずに、近接しているケース導通部７ａや裏蓋導通部７ｃに導き易くすることができる。
【００３０】
本実施形態の電波修正時計１のムーブメント３においては、回路基板押さえ板７が電子回路６７のグランドに導通しているため、回路基板押さえ板７の静電気が電子回路６７に回り込む経路が形成されている。しかし、電子回路６７に静電気が回り込み易い経路が形成されている電波修正時計１のムーブメント３であっても、電子回路６７に静電気が回り込むのを有効に防止乃至抑制することができる。
【００３１】
本実施形態の電波修正時計１及びムーブメント３は、回路基板押さえ板７が回路基板６を押圧する既存の押圧部７１〜７５を、回路基板６の導通部６１〜６５に導通する部分として利用しているため、回路基板押さえ板７に、導通部６１〜６５に導通する部分を追加的に形成する必要が無い。
なお、回路基板押さえ板７に、回路基板６を押圧する既存の押圧部７１〜７５とは別に、導通部６１〜６５に導通する部分を形成してもよい。この場合、押圧部７１〜７５は、単に回路基板６を押さえる部分として機能し、導通部６１〜６５に導通する必要はない。
【００３２】
本実施形態の電波修正時計１及びムーブメント３は、回路基板押さえ板７が導電性を有していて、ケース２ａや裏蓋２ｂと導通するものであるが、回路基板押さえ板７が導電性を有しないもの（例えば樹脂で形成されたもの）である場合は、導電性を有し、かつケース２ａや裏蓋２ｂに導通する導電性部材を別途設けて、回路基板６に、この導電性部材と複数の箇所で導通する導通部（導通部６１〜６５に相当）を設けるとともに、導通部同士を繋ぐ配線パターン（配線パターン６６に相当）を設けてもよい。
【００３３】
本実施形態の電波修正時計１及びムーブメント３は、回路基板６及び回路基板押さえ板７の他に受信基板９及び受信基板押さえ板１３を備えた構成であるが、受信基板９に回路基板６と同様の導通部及び配線パターンを設けてもよい。
また、本実施形態の電波修正時計１及びムーブメント３は、回路基板６及び回路基板押さえ板７の他に受信基板９及び受信基板押さえ板１３を備えた構成であるが、受信基板９及び受信基板押さえ板１３を備えない構成であってもよい。
【００３４】
本実施形態は、電波修正時計１を本発明の電子時計の一例としては適用したものであるが、本発明の電子時計及び電子時計のムーブメントは、電波修正時計１及び電波修正時計１のムーブメント３に限定されるものではなく、電子回路が形成された回路基板と、時計の導電性を有する外装部品に接するように形成された導電性部材とを少なくとも備えた電子時計及びその電子時計のムーブメントであればよい。
【符号の説明】
【００３５】
１      電波修正時計（電子時計の一例）
２ａ    ケース（外装部品の一例）
２ｂ    裏蓋（外装部品の一例）
２ｃ    プッシュボタン（ＰＢ）
３      ムーブメント
６      回路基板
７      回路基板押さえ板（導電性部材の一例）
７ａ，７ｂ    ケース導通部（外装導通部の一例）
７ｃ    裏蓋導通部（外装導通部の一例）
６１，６２，６３，６４、６５    導通部
６６    配線パターン
６７    電子回路
７１，７２，７３，７４，７５    押圧部
【図１】
2016156688.tif 000003
【図２】
2016156688.tif 000004
【図３】
2016156688.tif 000005
【図４】
2016156688.tif 000006